(57)【要約】【課題】簡単な構成で、周囲温度環境の変化にも出力の変動を低減することができる直流電源装置を提供する。【解決手段】フライバックトランス３８をＩＰＤ３９によりオンオフ駆動して負荷４３に直流電力を供給し、ＩＰＤ３９の制御回路のトランジスタ４８の動作を負荷４３に流れる電流に相応した電圧を検出する検出回路５２の検出電圧に応じて制御するもので、検出回路５２を、抵抗５１とともに、トランジスタ４８と同一構造で、温度特性がトランジスタ４８とほぼ同等なダイオード５３の補正手段５４で構成し、周囲温度環境の変化によりトランジスタ１８のベース・エミッタ電圧ＶＢＥが変動しても、ダイオード５３により検出回路５２の検出電圧を変化させ、検出回路５２の検出電圧を変動後のトランジスタ４８のベース・エミッタ電圧ＶＢＥに対応させる。【選択図】図３
2008220064.tif 000002
【特許請求の範囲】
【請求項１】
スイッチング手段により駆動され交流電源の交流電力より直流電力を生成し負荷に供給する直流電力生成手段と、
前記負荷に供給される直流電力を検出する検出手段と、
前記検出手段により検出される検出信号に応じて前記スイッチング手段のスイッチング動作を制御する制御手段と、
前記検出手段に設けられ、前記制御手段の温度特性を補償するように前記検出手段の検出信号を補正する補正手段と
を具備したことを特徴とする直流電源装置。
【請求項２】
前記補正手段を含む前記検出手段の温度特性を、前記制御手段の温度特性とほぼ同等にしたことを特徴とする請求項１記載の直流電源装置。
【請求項３】
前記制御手段は、前記スイッチング手段のスイッチング動作を制御する半導体素子を有し、前記検出手段は、抵抗と、前記制御手段の前記半導体素子と同じ構造で温度特性がほぼ同等の半導体素子を有する補正手段とを直列に接続したことを特徴とする請求項１記載の直流電源装置。
【発明の詳細な説明】
【技術分野】
【０００１】
本発明は、例えばＩＰＤ（Intelligent Power Device）を使用した直流電源装置に関するものである。
【背景技術】
【０００２】
最近、パワーデバイスとしてＩＰＤが各分野に広く用いられるようになっており、発光ダイオードなどの発光素子の電源として、ＩＰＤを用いた直流電源装置が実用化されている。
【０００３】
図５は、従来のＩＰＤを用いた直流電源装置の一例を示すもので、交流電源１がコンデンサ２、インピーダンス３を有するフィルタ回路４、トランス５を介して全波整流回路６の入力端子に接続され、この全波整流回路６の正負極の出力端子の間に平滑コンデンサ７が接続され、この平滑コンデンサ７両端には、フライバックトランス８及びスイッチング手段としてのＩＰＤ９が接続されている。フライバックトランス８は、１次巻線８０１及び２次巻線８０２を有し、２次巻線８０２には、図示極性のダイオード１０と平滑コンデンサ１１からなる整流平滑回路１２が接続されている。ＩＰＤ９は、ドレイン端子Ｄ、ソース端子Ｓ、コントロール端子ＥＮ及び電源端子ＢＰを有するスイッチング電源用制御ＩＣであり、ドレイン端子Ｄ、ソース端子Ｓの間に接続されるパワーＭＯＳＦＥＴなどのスイッチング素子９０１と、このスイッチング素子９０１のオンオフを制御するＰＷＭ制御回路（パルス幅制御回路）９０２などが内蔵されている。また、ＩＰＤ９は、スイッチング素子９０１を前記フライバックトランス８の１次巻線８０１に直列に接続され、ＰＷＭ制御回路９０２によるスイッチング素子９０１のオンオフによりフライバックトランス８をスイッチング駆動する。なお、２１は、ＩＰＤ９の電源端子ＢＰに接続された電源用コンデンサである。
【０００４】
フライバックトランス８の２次巻線８０２には、整流平滑回路１２を介して発光ダイオード（ＬＥＤ）などの負荷１３が接続されている。また、負荷１３には、並列に抵抗１４、負荷１３への過電圧を防止するツェナーダイオード１５及び抵抗１６の直列回路が接続されている。さらにツェナーダイオード１５と抵抗１６の接続点には、抵抗１７を介してトランジスタ１８のベースが接続されている。このトランジスタ１８は、エミッタを全波整流回路６の負極の出力端子に、コレクタをＩＰＤ９のコントロール端子ＥＮにそれぞれ接続されている。トランジスタ１８は、ベース・エミッタ電圧ＶＢＥによりＩＰＤ９のコントロール端子ＥＮにＰＷＭ制御回路９０２のパルス幅制御のための電流を流すような制御を行う。トランジスタ１８のベースとエミッタ間には、抵抗１９が接続され、また、前記負荷１３と抵抗１６の接続点とトランジスタ１８のエミッタの間には、抵抗２０が接続されている。この抵抗２０は、負荷１３に対して直列に接続されており、負荷１３に流れる電流に相応した電圧を検出し、この検出電圧によりトランジスタ１８の動作を制御する。この場合、抵抗２０の抵抗値は、前記検出電圧に応じたトランジスタ１８の動作により負荷１３に流れる電流Ｉが一定の値になるように設定されている。
【０００５】
このような直流電源装置は、交流電源１の交流電力が全波整流回路６で全波整流され、平滑コンデンサ７で平滑されてフライバックトランス８及びＩＰＤ９に供給される。この状態で、ＩＰＤ９のＰＷＭ制御回路９０２の制御によるスイッチング素子９０１のオンオフによりフライバックトランス８がスイッチング駆動される。この場合、スイッチング素子９０１のオンでフライバックトランス８の１次巻線８０１に電流を流してエネルギーを蓄積し、スイッチング素子９０１のオフで、１次巻線８０１に蓄積したエネルギーを２次巻線８０２を通して放出し、整流平滑回路１２を介して負荷１３に直流電力を供給する。この場合、抵抗２０両端に検出される電圧により、トランジスタ１８の動作が制御され、ＩＰＤ９のコントロール端子ＥＮより引き抜かれる電流が制御され、負荷１３に流れる電流Ｉは、一定に制御される。
【特許文献１】特開２００６−２１０８３５号公報
【発明の開示】
【発明が解決しようとする課題】
【０００６】
ところで、このような直流電源装置の負荷１３として用いられる発光ダイオード（ＬＥＤ）は、照明用としても多方面に使用され、例えば、店舗用の照明器具に組み込まれるものがある。ところが、このような店舗用照明器具は、例えば、室内のような比較的安定した環境で使用されるとは限らず、例えば、店舗の外など周囲温度環境の変化の著しい場所で使用されることがある。このことは、例えば照明器具の周辺に発熱源などが近くにあるような場合も同様である。
【０００７】
このような場合、周囲温度の変化は、制御回路を構成するトランジスタ１８にも影響を及ぼす。ところが、この種のトランジスタ１８は、その温度特性により、周囲温度が変化すると、このとき温度変化によりベース・エミッタ電圧ＶＢＥを大きく変動する。このため、照明器具などの使用環境により周囲温度が大きく変化すると、トランジスタ１８のベース・エミッタ電圧ＶＢＥの変動によりＩＰＤ９のコントロール端子ＥＮから引き抜かれる電流が変動し、負荷１３に流れる電流が変動する。つまり、トランジスタ１８は、ベース・エミッタ電圧ＶＢＥの温度依存性が大きいため、周囲温度が変化すると、ＩＰＤ９の出力が大きく変動してしまい、電源装置として所望する特性・動作を得ることができないという問題が生じる。
【０００８】
ここで、例えば、常温において、トランジスタ１８のベース・エミッタ電圧ＶＢＥ＝０．８Ｖ、抵抗２０の抵抗値Ｒ１＝２Ωで、この抵抗２０の両端に発生する電圧によりトランジスタ１８の動作制御が行われているものとする。この場合、抵抗２０に流れる電流は、０．４Ａ（０．８Ｖ／２Ω）となり、この電流が負荷１３に供給されている。ところが、周囲温度環境の変化によりトランジスタ１８のベース・エミッタ電圧ＶＢＥが変動し、例えば、常温時より０．１Ｖ低下し、０．７Ｖになったとすると、抵抗２０の抵抗値Ｒ１＝２Ωはそのままなので、負荷１３に流れる電流Ｉは、０．３５Ａ（０．７Ｖ／２Ω）となり、常温時と比べて１２．５％も低下する。このことは、負荷１３として発光ダイオードを適用している場合、周囲温度環境の変化により発光ダイオードに流れる電流が変化することであり、発光源として所望する明るさが得られないことがあるという問題が生じる。
【０００９】
従来、周囲温度環境の変化に対する対策を講じたものとして、特許文献１に示すように、ＤＣ−ＤＣコンバータから発光部に供給される出力電流と出力電圧から消費電力を求め、この消費電力が所定の許容範囲に収まるようにＤＣ−ＤＣコンバータの出力を調整するようにしたものが開示されている。
【００１０】
ところが、かかる特許文献１のものは、出力電流及び出力電圧のそれぞれの検出値をフィードバックするフードバック回路を始め、これら検出値から消費電力を求め、さらに消費電力が所定の許容範囲に収まるように調整する制御回路が必要であり、装置全体の構成が大掛かりで高価になるという問題がある。
【００１１】
本発明は上記事情に鑑みてなされたもので、簡単な構成で、周囲温度環境の変化にも出力の変動を低減することができる直流電源装置を提供することを目的とする。
【課題を解決するための手段】
【００１２】
請求項１記載の発明は、記スイッチング手段により駆動され交流電源の交流電力より直流電力を生成し負荷に供給する直流電力生成手段と、前記負荷に供給される直流電力を検出する検出手段と、前記検出手段により検出される検出信号に応じて前記スイッチング手段のスイッチング動作を制御する制御手段と、前記検出手段に設けられ、前記制御手段の温度特性を相殺するように前記検出手段の検出信号を補正する補正手段とを具備したことを特徴としている。
【００１３】
請求項２記載の発明は、請求項１記載の発明において、前記補正手段を含む前記検出手段の温度特性を、前記制御手段の温度特性とほぼ同等にしたことを特徴としている。
【００１４】
請求項３記載の発明は、請求項１記載の発明において、前記制御手段は、前記スイッチング手段のスイッチング動作を制御する半導体素子を有し、前記検出手段は、抵抗と、前記制御手段の前記半導体素子と同じ構造で温度特性がほぼ同等の半導体素子を有する補正手段を直列に接続したことを特徴としている。
【発明の効果】
【００１５】
本発明によれば、簡単な構成で、周囲温度環境の変化にも出力の変動を低減することができる直流電源装置を提供することを目的とする。
【発明を実施するための最良の形態】
【００１６】
以下、本発明の実施の形態を図面に従い説明する。
【００１７】
（第１の実施の形態）
まず、本発明の直流電源装置が適用される照明器具について簡単に説明する。図１及び図２において、２２は器具本体で、この器具本体２２は、アルミニウムのダイカスト製のもので、両端を開口した円筒状をしている。この器具本体２２は、内部を仕切り部材２２ａ、２２ｂにより上下方向に３分割され、下方開口と仕切り部材２２ａの間の空間は、光源部２３に形成されている。この光源部２３には、複数のＬＥＤ２３ａと反射体２３ｂが設けられている。複数のＬＥＤ２３ａは、仕切り部材２２ａ下面に設けられた円盤状の配線基板２３ｃの円周方向に沿って等間隔に配置され実装されている。
【００１８】
器具本体２２の仕切り部材２２ａと２２ｂの間の空間は電源室２４に形成されている。この電源室２４は、仕切り部材２２ａ上部に配線基板２４ａが配置されている。この配線基板２４ａには、前記複数のＬＥＤ２３ａを駆動するための本発明の直流電源装置を構成する各電子部品が設けられている。この直流電源装置と複数のＬＥＤ２３ａは、リード線２５により接続されている。
【００１９】
器具本体２２の仕切り板２２ｂと上方開口の間の空間は、電源端子室２６に形成されている。この電源端子室２６は、仕切り板２２ｂに電源端子台２７が設けられている。この電源端子台２７は、電源室２４の直流電源装置に商用電源の交流電力を供給するための端子台で、電絶縁性の合成樹脂で構成されたボックス２７ａの両面に電源ケーブル用端子部となる差込口２７ｂ、送りケーブル用端子部となる差込口２７ｃ及び電源線及び送り線を切り離すリリースボタン２７dなどを有している。
【００２０】
図３は、このように構成された照明器具の電源室２４に組み込まれる本発明の直流電源装置の概略構成を示している。
【００２１】
図３において、３１は交流電源で、この交流電源３１は、不図示の商用電源からなっている。この交流電源３１には、コンデンサ３２、インピーダンス３３を有するフィルタ回路３４、トランス３５を介して全波整流回路３６の入力端子が接続されている。この全波整流回路３６は、交流電源３１からの交流電力を全波整流した出力を発生する。
【００２２】
全波整流回路３６の正負極の出力端子の間には、平滑コンデンサ３７が接続され、この平滑コンデンサ３７両端には、フライバックトランス３８及びスイッチング手段としてのＩＰＤ３９が接続されている。フライバックトランス３８は、１次巻線３８１及び２次巻線３８２を有するもので、２次巻線３８２に、図示極性のダイオード４０と平滑コンデンサ４１からなる整流平滑回路４２が接続されている。これらフライバックトランス３８及び整流平滑回路４２は、交流電源３１からの交流電力より直流電力を生成する直流電力生成手段を構成している。ＩＰＤ３９は、ドレイン端子Ｄ、ソース端子Ｓ、コントロール端子ＥＮ及び電源端子ＢＰを有するスイッチング電源用制御ＩＣであり、ドレイン端子Ｄ、ソース端子Ｓの間に接続されるパワーＭＯＳＦＥＴなどのスイッチング素子３９１と、このスイッチング素子３９１のオンオフを制御するＰＷＭ制御回路３９２などが内蔵されている。また、ＩＰＤ３９は、スイッチング素子３９１を前記フライバックトランス３８の１次巻線３８１に直列に接続され、ＰＷＭ制御回路３９２の制御によるスイッチング素子３９１のオンオフによりフライバックトランス３８をスイッチング駆動する。なお、５５は、ＩＰＤの電源端子ＢＰに接続された電源用コンデンサである。
【００２３】
フライバックトランス３８の２次巻線３８２には、上述した整流平滑回路４２を介して負荷４３（図２で述べたＬＥＤ２３ａに相当）が接続されている。また、負荷４３には、並列に抵抗４４、ツェナーダイオード４５及び抵抗４６の直列回路が接続されている。ツェナーダイオード４５は、負荷４３にかかる過電圧を防止するものである。
【００２４】
さらにツェナーダイオード４５と抵抗４６の接続点には、抵抗４７を介してトランジスタ４８のベースが接続されている。このトランジスタ４８には、ＰＮ接合の半導体素子が用いられている。また、トランジスタ４８は、エミッタを全波整流回路３６の負極の出力端子に、コレクタをＩＰＤ３９のコントロール端子ＥＮにそれぞれ接続されている。トランジスタ４８は、制御手段としての制御回路４９を構成するもので、ベース・エミッタ電圧ＶＢＥによりＩＰＤ３９のコントロール端子ＥＮにＰＷＭ制御回路３９２のパルス幅制御のための電流を流すような制御を行う。トランジスタ３８のベースとエミッタ間には、抵抗５０が接続され、また、前記負荷４３と抵抗４６の接続点とトランジスタ４８のエミッタの間には、検出手段として検出回路５２を構成する抵抗５１と図示極性のダイオード５３の直列回路が接続されている。
【００２５】
これら抵抗５１とダイオード５３の直列回路は、負荷４３に対して直列に接続されており、負荷４３に流れる電流に相応した電圧を検出し、この検出電圧によりトランジスタ１８の動作を制御する。この場合、ダイオード５３は、補正手段５４を構成するもので、前記トランジスタ４８と同じ構造のＰＮ接合の半導体素子で、温度特性がほぼ同等のものが用いられる。つまり、ダイオード５３を含む検出回路５２の温度特性が前記トランジスタ４８の温度特性とほぼ同等になるようにしている。また、抵抗５１とダイオード５３の直列回路の抵抗値は、前記検出電圧（抵抗５１とダイオード５３の直列回路の両端電圧）に応じたトランジスタ４８の動作により負荷４３に流れる電流Ｉが一定になるように設定されている。
【００２６】
このような直流電源装置は、交流電源３１の交流電力が全波整流回路３６で全波整流され、平滑コンデンサ３７で平滑されてフライバックトランス３８及びＩＰＤ３９に供給される。この状態で、ＩＰＤ３９のＰＷＭ制御回路３９２によるスイッチング素子３９１のオンオフによりフライバックトランス３８がスイッチング駆動される。
【００２７】
この場合、スイッチング素子３９１のオンでフライバックトランス３８の１次巻線３８１に電流を流してエネルギーを蓄積し、スイッチング素子３９１のオフで、１次巻線３８１に蓄積したエネルギーを２次巻線３８２を通して放出し、整流平滑回路４２を介して負荷４３に直流電力を供給する。この場合、検出回路５２の抵抗５１とダイオード５３の直列回路の両端より検出される電圧によりトランジスタ３８の動作が制御され、ＩＰＤ３９のコントロール端子ＥＮより引き抜かれる電流が制御され、負荷４３に流れる電流Ｉは一定に制御される。
【００２８】
ここで、例えば、常温において、トランジスタ３８のベース・エミッタ電圧ＶＢＥ＝０．８Ｖ、抵抗５１の抵抗値Ｒ＝１．２５Ω、ダイオード５３の順方向電圧が０．３Ｖで、これら抵抗５１とダイオード５３の直列回路の両端に発生する電圧（この場合、抵抗５１両端に発生する０．５Ｖと、ダイオード５３両端に発生する０．３Ｖによる０．８Ｖ）によりトランジスタ３８の動作制御が行われているものとする。この場合、検出回路５２に流れる電流Ｉは、０．４Ａ（（０．８Ｖ−０．３Ｖ）／１．２５Ω）となり、この電流Ｉが負荷４３に供給されている。
【００２９】
この状態で、周囲温度環境の変化によりトランジスタ３８のベース・エミッタ電圧ＶＢＥが変動し、例えば、常温時より０．１Ｖ低下し、０．７Ｖになったとする。すると、抵抗５１の抵抗値Ｒ＝１．２５Ωが、そのままなのに対し、トランジスタ３８と同一構造で、ほぼ同様な温度特性を有するダイオード５３は、トランジスタ３８と同じだけ順方向電圧が低下し、０．２Ｖに変化する。これにより、抵抗５１とダイオード５３の直列回路の両端に発生する電圧（抵抗５１両端に発生する０．５Ｖと、ダイオード５３両端に発生する０．２Ｖによる０．７Ｖ）によりトランジスタ３８は、ベース・エミッタ電圧ＶＢＥ＝０．７Ｖで動作が制御され、このとき負荷４３に流れる電流Ｉは、０．４Ａ（０．７Ｖ−０．２Ｖ）／１．２５Ω）で、周囲温度環境が変化する前と同じ一定電流を流しつづけることができる。
【００３０】
なお、上述では、周囲温度環境の変化によりトランジスタ１８のベース・エミッタ電圧ＶＢＥが変動して低下する例を述べたが、逆に周囲温度環境の変化によりベース・エミッタ電圧ＶＢＥが上昇した場合も、トランジスタ１８とほぼ同等な温度特性を有するダイオード５３の働きにより負荷４３に流れる電流Ｉを一定にすることができる。
【００３１】
したがって、このようにすれば、フライバックトランス３８をＩＰＤ３９によりオンオフ駆動して負荷４３に直流電力を供給し、ＩＰＤ３９を制御する制御回路のトランジスタ４８の動作を、負荷４３に流れる電流に相応した電圧を検出する検出回路５２の検出電圧に応じて制御するようにしたもので、この検出回路５２を、抵抗５１とともに、前記トランジスタ４８と同一構造の半導体素子で、温度特性がトランジスタ４８とほぼ同等なダイオード５３の補正手段５４で構成し、仮に、周囲温度環境の変化によりトランジスタ１８のベース・エミッタ電圧ＶＢＥが変動しても、ダイオード５３の温度特性により検出回路５２からの検出電圧を変化させ、検出回路５２の検出電圧を変動後のトランジスタ４８のベース・エミッタ電圧ＶＢＥに対応させるようにした。こうすることにより、トランジスタ４８の温度特性を、ダイオード５３により相殺することができるので、周囲温度環境の変化に関係なく負荷１３である発光ダイオードに流れる電流を常に同じにすることができ、発光源としての発光ダイオードに常に所望する明るさを維持することができる。
【００３２】
また、検出回路５２は、補正手段５４として抵抗５１に直列にダイオード５３を接続する構成であり、回路構成を簡単にできるので、装置をコンパクト化できるとともに、価格的にも安価にできる。
【００３３】
（第２の実施の形態）
第1の実施の形態では、直流電力生成手段としてフライバックトランスを使用し、このフライバックトランスをＩＰＤによりスイッチング駆動するようにしたが、この第２の実施の形態では、コイルを有するチョッパー方式を採用している。
【００３４】
図４は、第２の実施の形態の概略構成を示すもので、図３と同一部分には同符号を付している。
【００３５】
この場合、平滑コンデンサ３７両端には、図示極性のダイオード５６とＩＰＤ３９が接続されている。また、ダイオード５６の両端にコイル５７と平滑コンデンサ５８の直列回路が接続されている。さらに、平滑コンデンサ５８の両端に、負荷４３と補正手段５４を有する検出回路５２が接続されている。ここでの補正手段５４を有する検出回路５２は、第１の実施の形態で述べたのと同様なものである。また、ダイオード５６は、スイッチング素子３９１のオンの時にコイル５７にエネルギーを蓄積するように電流の方向を決めるとともに、スイッチング素子３９１のオフの時にコイル５７に蓄えられていたエネルギーを負荷４３を通して還流させるためのものである。さらに負荷４３には、平滑コンデンサ５９が並列に接続されている。
【００３６】
この場合も、交流電源３１の交流電力が全波整流回路３６で全波整流され、平滑コンデンサ３７で平滑されて直流電源として供給される。この状態で、ＩＰＤ３９スイッチング素子３９１のオンオフによりコイル５７がスイッチング駆動される。
【００３７】
この場合、スイッチング素子３９１のオンで電流を流してエネルギーを蓄積し、オフで、に蓄積したエネルギーをコンデンサ５８に蓄える。このコイル５７がスイッチング駆動により、平滑コンデンサ５９を介して負荷４３に直流電力が供給される。この場合、検出回路５２より検出される電圧により制御回路４９の動作が制御され、ＩＰＤ３９のコントロール端子ＥＮに流れる電流が制御され、負荷４３に流れる電流Ｉが一定に維持される。
【００３８】
この状態から周囲温度環境の変化により制御回路４９の出力が変化すると、この変化に応じて検出回路５２の補正手段５４も変化する。これにより、制御回路４９の出力変化にともなう負荷４３に流れる電流Ｉの変動も補正手段５４により補正され、周囲温度環境の変化の影響を受けない一定電流を供給することができる。
【００３９】
したがって、このようにしても、第１の実施の形態と同様な効果が期待でき、周囲温度環境の変化に関係なく負荷１３である発光ダイオードに流れる電流を一定に維持することができ、発光源として発光ダイオードに常に所望する明るさを得ることができる。
【００４０】
なお、本発明は、上記実施の形態に限定されるものでなく、実施段階では、その要旨を変更しない範囲で種々変形することが可能である。例えば、上述した実施の形態では、負荷４３に流れる電流を常に一定にするように制御する定電流制御について述べたが、これに限らず、負荷４３に印加する電圧を常に一定にするように制御する定電圧制御を適用したものでもよい。また、上述した実施の形態では、スイッチング手段にＩＰＤ３９を使用し負荷４３に流れる電流に応じてトランジスタ３８の制御により、コントロール端子ＥＮより引き抜かれる電流を制御するようにしたが制御シーケンスとしては、ＩＰＤ３９を使用したものに限らず他の方法も適用できる。さらに、上述した実施の形態では、負荷４３として発光ダイオードの例を述べたか、他の直流負荷にも適用できる。さらに、上述した実施の形態では、交流電源３１を備えたものを述べているが、交流電源３１は、装置外部に設けられるものでもよい。さらに、上述した実施の形態では、ダイオード５３を含む検出回路５２の温度特性がトランジスタ４８の温度特性とほぼ同等になるようにしているが、ここでのほぼ同等とは、全く温度特性が同じ場合は勿論、トランジスタ４８の温度特性と同じような傾向の温度特性の場合も含むものとする。
【００４１】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４２】
【図１】本発明の第１の実施の形態にかかる直流電源装置が適用される照明器具を示す斜視図。
【図２】第１の実施の形態にかかる直流電源装置が適用される照明器具の断面図。
【図３】第１の実施の形態にかかる直流電源装置の概略構成を示す図。
【図４】本発明の第２の形態にかかる直流電源装置の概略構成を示す図。
【図５】従来の直流電源装置の概略構成を示す図。
【符号の説明】
【００４３】
２２…器具本体、２２ａ．２２ｂ…仕切り部材
２３…光源部、２３ａ…ＬＥＤ、２３ｂ…反射体
２３ｃ…配線基板、２４…電源室、２４ａ…配線基板
２５…リード線、２６…電源端子室
２７…電源端子台、２７ａ…ボックス
２７ｂ、２７ｃ…差込口、２７d…リリースボタン
３１…交流電源、３２…コンデンサ、３３…インピーダンス
３４…フィルタ回路、３５…トランス、３６…全波整流回路
３７…平滑コンデンサ、３８…フライバックトランス
３８１…１次巻線、３８２…２次巻線
３９…ＩＰＤ、３９１…スイッチング素子
３９２…ＰＷＭ制御回路、４０…ダイオード
４１…平滑コンデンサ、４２…整流平滑回路
４３…負荷、４４、４６，４７、５０、５１…抵抗
４５…ツェナーダイオード、４８…トランジスタ
４９…制御回路、５２…検出回路、５３…ダイオード
５４…補正手段、５６…ダイオード
５７…コイル、５８…コンデンサ
５９…平滑コンデンサ
【図１】
2008220064.tif 000003
【図２】
2008220064.tif 000004
【図３】
2008220064.tif 000005
【図４】
2008220064.tif 000006
【図５】
2008220064.tif 000007